(57)【要約】【課題】  ＡＶ機器の操作を簡素化できる音声信号増幅装置を提供する。【解決手段】  表示装置の複数の入力ポートのいずれかの選択指示を入力する指示入力手段と、複数の音声信号入力ポートと、前記表示装置に映像信号を送信する再生装置から前記音声信号入力ポートへの音声信号の入力を検出する検出手段と、前記選択指示が入力されると、前記音声信号の入力が検出された前記音声信号入力ポートと入力された前記選択指示とを関連付ける学習手段と、入力された前記音声信号を増幅する増幅手段と、前記増幅手段に前記音声信号を転送する前記音声信号入力ポートを切り換える切換手段と、前記音声信号入力ポートに関連付けられた前記選択指示が入力されると、前記増幅手段を起動し、入力された前記選択指示に関連付けられた前記音声信号入力ポートから前記増幅手段に前記音声信号が入力されるように前記切換手段を制御する制御手段と、を備えることを特徴とする音声信号増幅装置。【選択図】  図１
2007006057.tif 000002
【特許請求の範囲】
【請求項１】
表示装置の複数の入力ポートのいずれかの選択指示を入力する指示入力手段と、
複数の音声信号入力ポートと、
前記表示装置に映像信号を送信する再生装置から前記音声信号入力ポートへの音声信号の入力を検出する検出手段と、
前記選択指示が入力されると、前記音声信号の入力が検出された前記音声信号入力ポートと入力された前記選択指示とを関連付ける学習手段と、
入力された前記音声信号を増幅する増幅手段と、
前記増幅手段に前記音声信号を転送する前記音声信号入力ポートを切り換える切換手段と、
前記音声信号入力ポートに関連付けられた前記選択指示が入力されると、前記増幅手段を起動し、入力された前記選択指示に関連付けられた前記音声信号入力ポートから前記増幅手段に前記音声信号が入力されるように前記切換手段を制御する制御手段と、
を備えることを特徴とする音声信号増幅装置。
【請求項２】
表示装置の複数の入力ポートのいずれかの選択指示を入力する指示入力手段と、
複数の音声信号入力ポートと、
前記表示装置に映像信号を送信する再生装置から前記音声信号入力ポートへの音声信号の入力を検出する検出手段と、
前記選択指示が入力されると、前記音声信号の入力が検出された前記音声信号入力ポートと入力された前記選択指示とを関連付ける学習手段と、
入力された前記音声信号を増幅する増幅手段と、
前記増幅手段に前記音声信号を転送する前記音声信号入力ポートを切り換える切換手段と、
いずれかの前記音声信号入力ポートへの前記音声信号の入力が前記検出手段によって検出されると、前記増幅手段を起動し、前記音声信号の入力が検出された前記音声信号入力ポートから前記増幅手段に前記音声信号が入力されるように前記切換手段を制御する制御手段と、
を備えることを特徴とする音声信号増幅装置。
【請求項３】
前記制御手段は、いずれかの前記音声信号入力ポートへの音声信号の入力が前記検出手段によって検出されると、前記表示装置を起動することを特徴とする請求項２に記載の音声信号増幅装置。
【請求項４】
前記指示入力手段は、前記表示装置のリモートコントローラから無線送信される前記選択指示を傍受することを特徴とする請求項１〜３のいずれか一項に記載の音声信号増幅装置。
【請求項５】
前記リモートコントローラから無線送信される前記選択指示及び音量調節指示を受信する前記表示装置の受信部を前記リモートコントローラから遮蔽し、傍受された前記選択指示を前記受信部に送信する指示送信手段をさらに備え、
前記制御手段は、前記増幅手段が作動している場合、傍受された前記音量調節指示に応じて前記増幅手段を制御することを特徴とする請求項４に記載の音声信号増幅装置。
【発明の詳細な説明】
【技術分野】
【０００１】
本発明は音声信号増幅装置に関し、特に表示装置に接続される再生装置の音声信号増幅装置に関する。
【背景技術】
【０００２】
従来、テレビジョンモニタ等の表示装置に接続されるＤＶＤプレーヤ、ビデオカセットプレーヤ等の再生装置から出力される音声信号を増幅する音声信号増幅装置、いわゆるＡＶアンプが知られている。このような音声信号増幅装置を用いることにより、高品質な音声信号の再生が可能になるが、１つのコンテンツデータを再生するために操作するＡＶ機器の数が増大するため、操作が煩雑になるという問題がある。
特許文献１には、複数のＡＶ機器を連動させることによりユーザビリティを高める技術が開示されている。しかし、特許文献１に開示された技術であっても、操作に対応する連動制御内容をユーザが事前に逐一設定する必要があるため、操作は煩雑である。
【０００３】
【特許文献１】特開２００２−３５４３５１号公報
【発明の開示】
【発明が解決しようとする課題】
【０００４】
本発明は、上述の問題に鑑みて創作されたものであって、ＡＶ機器の操作を簡素化できる音声信号増幅装置を提供することを目的とする。
【課題を解決するための手段】
【０００５】
（１）上記目的を達成するための音声信号増幅装置は、表示装置の複数の入力ポートのいずれかの選択指示を入力する指示入力手段と、複数の音声信号入力ポートと、前記表示装置に映像信号を送信する再生装置から前記音声信号入力ポートへの音声信号の入力を検出する検出手段と、前記選択指示が入力されると、前記音声信号の入力が検出された前記音声信号入力ポートと入力された前記選択指示とを関連付ける学習手段と、入力された前記音声信号を増幅する増幅手段と、前記増幅手段に前記音声信号を転送する前記音声信号入力ポートを切り換える切換手段と、前記音声信号入力ポートに関連付けられた前記選択指示が入力されると、前記増幅手段を起動し、入力された前記選択指示に関連付けられた前記音声信号入力ポートから前記増幅手段に前記音声信号が入力されるように前記切換手段を制御する制御手段と、を備える。
音声信号増幅装置が、再生装置から音声信号入力ポートへの音声信号の入力を検出し、音声信号の入力が検出された音声信号入力ポートと表示装置の入力ポートの選択指示とを関連付けることにより、ユーザは音声信号入力ポートと表示装置の入力ポートの選択指示とを関連付けるための特別な設定操作から開放され、再生装置と表示装置とを用いてコンテンツを再生するための通常の操作をするだけで音声信号増幅装置の連動制御内容を設定することができる。音声信号増幅装置が、音声信号入力ポートに関連付けられた選択指示が入力されると増幅手段を起動することにより、ユーザは音声信号増幅装置の起動操作から開放され、再生装置に応じた表示装置の入力ポートの選択指示をするだけで増幅手段を起動することができる。音声信号増幅装置が、音声信号入力ポートに関連付けられた選択指示が入力されると、入力された選択指示に関連付けられた音声信号入力ポートから入力される音声信号が増幅されるように信号経路を切り換えることにより、ユーザは再生装置に応じて音声信号増幅装置の信号経路を切り換えるための操作から開放され、再生装置に応じた表示装置の入力ポートの選択指示をするだけで音声信号増幅装置の信号経路を切り換えることができる。
【０００６】
（２）上記目的を達成するための音声信号増幅装置は、表示装置の複数の入力ポートのいずれかの選択指示を入力する指示入力手段と、複数の音声信号入力ポートと、前記表示装置に映像信号を送信する再生装置から前記音声信号入力ポートへの音声信号の入力を検出する検出手段と、前記選択指示が入力されると、前記音声信号の入力が検出された前記音声信号入力ポートと入力された前記選択指示とを関連付ける学習手段と、入力された前記音声信号を増幅する増幅手段と、前記増幅手段に前記音声信号を転送する前記音声信号入力ポートを切り換える切換手段と、いずれかの前記音声信号入力ポートへの前記音声信号の入力が前記検出手段によって検出されると、前記増幅手段を起動し、前記音声信号の入力が検出された前記音声信号入力ポートから前記増幅手段に前記音声信号が入力されるように前記切換手段を制御する制御手段と、を備える。
音声信号増幅装置が、再生装置から音声信号入力ポートへの音声信号の入力を検出し、音声信号の入力が検出された音声信号入力ポートと表示装置の入力ポートの選択指示とを関連付けることにより、ユーザは音声信号入力ポートと表示装置の入力ポートの選択指示とを関連付けるための特別な設定操作から開放され、再生装置と表示装置とを用いてコンテンツを再生するための通常の操作をするだけで音声信号増幅装置の連動制御内容を設定することができる。音声信号増幅装置が、いずれかの音声信号入力ポートへ音声信号が入力されると、増幅手段を起動することにより、ユーザは音声信号増幅装置の起動操作から開放され、再生装置でコンテンツを再生するための通常の操作だけで増幅手段を起動することができる。音声信号増幅装置が、いずれかの音声信号入力ポートへ音声信号が入力されると、音声信号の入力が検出された音声信号入力ポートから入力される音声信号が増幅されるように信号経路を切り換えることにより、ユーザは再生装置に応じて音声信号増幅装置の信号経路を切り換えるための操作から開放され、再生装置でコンテンツを再生するための通常の操作だけで音声信号増幅装置の信号経路を切り換えることができる。
【０００７】
（３）前記制御手段は、いずれかの前記音声信号入力ポートへの音声信号の入力が前記検出手段によって検出されると、前記表示装置を起動してもよい。
音声信号増幅装置が、いずれかの音声信号入力ポートへ音声信号が入力されると、表示装置を起動することにより、ユーザは表示装置を起動するための操作から解放され、再生装置でコンテンツを再生するための通常の操作だけで表示装置を起動することができる。
【０００８】
（４）前記指示入力手段は、前記表示装置のリモートコントローラから無線送信される前記選択指示を傍受してもよい。
音声信号増幅装置が表示装置のリモートコントローラから無線送信される選択指示を傍受することにより、選択指示を音声信号増幅装置に入力するためのリモートコントローラが不要になる。
【０００９】
（５）前記音声信号増幅装置は、前記リモートコントローラから無線送信される前記選択指示及び音量調節指示を受信する前記表示装置の受信部を前記リモートコントローラから遮蔽し、傍受された前記選択指示を前記受信部に送信する指示送信手段をさらに備えてもよい。前記制御手段は、前記増幅手段が作動している場合、傍受された前記音量調節指示に応じて前記増幅手段を制御してもよい。
音声信号増幅装置は、リモートコントローラから無線送信される音量調節指示を傍受し、傍受した音量調節指示に応じて音声信号を増幅することにより、表示装置の音量調節指示に応じて音声信号を増幅することができる。音声信号増幅装置は、音量調節指示を受信する表示装置の受信部を表示装置から遮蔽することにより、表示装置による音量調節を防止することができる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１１】
以下、本発明の実施の形態を説明する。
【００１２】
（１）構成
図１は、音声増幅装置としてのＡＶアンプ１を用いたＡＶシステムを示す模式図である。ＡＶアンプ１は、本体ユニット２８とサブユニット３２とで構成されている。表示装置としてのテレビジョンモニタ２は映像信号を入力する第一入力ポート６６及び第二入力ポート６８の２つの入力ポートを備える。本実施例では、再生装置としてのＤＶＤプレーヤ４とＶＣＲ（Video Cassette Recorder）５のビデオ信号線はテレビジョンモニタ２に接続されているものとする。また本実施例では、テレビジョンモニタ２、ＤＶＤプレーヤ４及びＶＣＲ５のオーディオ信号線はＡＶアンプ１に接続されているものとする。リモコン３はテレビジョンモニタ２を制御するための赤外線信号を発信する。スピーカシステム６はＡＶアンプ１の本体ユニット２８に接続されている。
【００１３】
図２はＡＶアンプ１を示すブロック図である。本体ユニット２８にはインタフェース１９、音声入力検出部２０、音声入力切換部２２、増幅部３４及び制御部３０が設けられている。サブユニット３２には、赤外線発光部１６及び赤外線受光部１８が設けられている。本体ユニット２８は本体ハウジング５０に、サブユニット３２はサブハウジング５２に収納されている（図３参照）。
インタフェース１９はオーディオ信号を入力するＡ入力ポート６０、Ｂ入力ポート６２、Ｃ入力ポート６４の３つの入力ポートを備える。Ａ入力ポート６０、Ｂ入力ポート６２及びＣ入力ポート６４には、それぞれテレビジョンモニタ２、ＤＶＤプレーヤ４及びＶＣＲ５のいずれかのオーディオ信号線が接続されている。
検出手段としての音声入力検出部２０は、Ａ入力ポート６０、Ｂ入力ポート６２、Ｃ入力ポート６４の３つの入力ポートに入力されるオーディオ信号をそれぞれ検出する。
切換手段としての音声入力切換部２２は、Ａ入力ポート６０、Ｂ入力ポート６２、Ｃ入力ポート６４のいずれかから増幅部３４にオーディオ信号が転送されるように回路を切り換えるスイッチである。
増幅部３４はプリアンプ２４及びパワーアンプ２６を備える。プリアンプ２４は、イコライザ、ボリュームコントローラ、ラウドネスコントローラ、バランスコントローラ、トーンコントローラ、フィルタ等を備える。
増幅手段としてのパワーアンプ２６は、プリアンプ２４からの出力信号をスピーカシステム６の駆動レベルまで増幅する。パワーアンプ２６はプリアンプ２４の電源回路とは別の電源回路によって駆動される。
【００１４】
学習手段及び制御手段としての制御部３０は、ＲＡＭ１０、フラッシュメモリ１２及びＣＰＵ１４を備える。フラッシュメモリ１２は、ＡＶアンプ１の制御プログラムを格納している不揮発性メモリである。ＣＰＵ１４は、フラッシュメモリ１２に格納されている制御プログラムを実行してＡＶアンプ１の各部を制御する。ＲＡＭ１０は、制御プログラムやその他各種のデータが一時的に格納される揮発性メモリである。これらのプログラムや各種のデータは、所定のサーバからのネットワークを介したダウンロード、図示しないリムーバブルメモリ等のコンピュータ読み取り可能な記憶媒体からの読み出し等によってフラッシュメモリ１２に格納してもよい。
【００１５】
サブハウジング５２は、リモコン３からテレビジョンモニタ２に向けて送信される赤外線信号を遮断するために、図３（Ａ）に示すようにテレビジョンモニタ２の赤外線受光部４０を覆う位置に取り付けられる。
指示入力手段としての赤外線受光部１８は、サブハウジング５２の正面側に設けられ、リモコン３からテレビジョンモニタ２に向けて送信される制御信号を傍受する。指示送信手段としての赤外線発光部１６は、図３（Ｂ）に示すようにサブハウジング５２の背面側に設けられ、テレビジョンモニタ２の赤外線受光部４０にテレビジョンモニタ２の制御信号を送信する。尚、赤外線受光部１８及び赤外線発光部１６とＣＰＵ１４との通信形態は有線通信でも無線通信でもよい。
尚、リモコン３からは特定のボタンが押されたことを意味する信号だけが送信され、リモコン３のボタンが押される毎にテレビジョンモニタ２がステータスを巡回的に切り換える場合、ＡＶアンプ１はテレビジョンモニタ２のステータスを把握する必要がある。その場合、ユーザのリモコン３の操作ログを記憶する機能や、テレビジョンモニタ２のステータスを取得するための通信機能をＡＶアンプ１にさらに備えることが望ましい。
【００１６】
図４は、種々のリモコン３からテレビジョンモニタ２に送信される制御信号のデータベース１００の論理的構成を示している。データベース１００はフラッシュメモリ１２に格納されている。データベース１００は、種々のリモコンからテレビジョンモニタ２に送信される制御信号の信号パターンと、各制御信号を傍受したときに起動する処理と、各制御信号に対応する連動処理の学習状態を示すステータスと、各制御信号に関連するインタフェース１９の入力ポートとを関連付けている。尚、これらを関連付けるためのデータ構造は任意であって、かならずしもデータベースの形態でなくともよい。
【００１７】
以下、リモコン３からテレビジョンモニタ２に向けて送信される各制御信号を傍受してＡＶアンプ１が実行する各種の処理について説明する。
【００１８】
（２）ＴＶ起動処理
はじめに、赤外線受光部１８がリモコン３から制御信号を傍受すると、制御部３０はその制御信号がテレビジョンモニタ２を起動する処理を起動するための制御信号であるか判定する。具体的には、制御部３０はデータベース１００を参照し、傍受した制御信号がＴＶ起動処理に関連付けられた制御信号であるか否かを判定する。より具体的にはテレビジョンモニタ２の電源オンの指示に対応する信号パターンにはＴＶ起動処理が関連付けられているため、制御部３０はテレビジョンモニタ２の電源オンの指示に対応する信号パターンを傍受すると、ＴＶ起動処理を起動する。
【００１９】
図５は、ＴＶ起動処理の流れを示すフローチャートである。
ステップＳ２０２では、赤外線発光部１６は、テレビジョンモニタ２の赤外線受光部４０に赤外線受光部１８が傍受したパターンの制御信号をそのまま送信する。具体的には、赤外線受光部１８が傍受したパターンの制御信号を制御部３０が赤外線発光部１６を制御してテレビジョンモニタ２の赤外線受光部４０に向けて送信させる。この処理によりテレビジョンモニタ２が起動するため、ユーザがリモコン３でテレビジョンモニタ２を起動する操作をすると、テレビジョンモニタ２が起動する。テレビジョンモニタ２の起動指示の他にも、ＡＶアンプ１の本来の機能（オーディオ信号の増幅機能）と関係のない、例えばテレビジョンモニタ２の放送チャネル選択指示やテレビジョンモニタ２の終了指示などを赤外線受光部１８が傍受した場合には、赤外線受光部１８が傍受したパターンの制御信号が赤外線発光部１６からテレビジョンモニタ２の赤外線受光部４０に送信される。
【００２０】
（３）入力ポート選択連動処理
はじめに、赤外線受光部１８がリモコン３から制御信号を傍受すると、制御部３０はその制御信号がテレビジョンモニタ２の入力ポートを選択するための制御信号であるか判定する。ユーザがテレビジョンモニタ２の入力ポートを選択する操作をしている状況は、ユーザがテレビジョン放送の視聴からＤＶＤやビデオカセットの視聴を始めようとしている状況である。したがって、ＡＶアンプ１はテレビジョンモニタ２の入力ポートを選択するための制御信号を傍受すると、ＡＶアンプ１にオーディオ信号線が接続されているＤＶＤプレーヤ４、ＶＣＲ５といった機器からＡＶアンプ１に入力されるオーディオ信号を増幅するための処理を開始する。具体的には、制御部３０はデータベース１００を参照し、傍受した制御信号が入力ポート選択連動処理に関連付けられた制御信号であるか否かを判定し、傍受した制御信号が入力ポート選択連動処理に関連付けられた制御信号であれば入力ポート選択連動処理を起動する。
【００２１】
図６は、入力ポート選択連動処理の流れを示すフローチャートである。
ステップＳ２０６では、赤外線発光部１６は赤外線受光部４０にテレビジョンモニタ２のその入力ポートを選択するための制御信号を送信する。具体的には、赤外線受光部１８が第一入力ポート６６を選択するパターンの制御指示を傍受した場合には、制御部３０による制御下で赤外線発光部１６から第一入力ポート６６を選択するパターンの制御信号が送信され、赤外線受光部１８が第二入力ポート６８を選択するパターンの制御信号を傍受した場合には、制御部３０による制御下で赤外線発光部１６から第二入力ポート６８を選択するパターンの制御信号が送信される。この処理の結果、テレビジョンモニタ２は、ユーザが選択した入力ポートをアクティブにする。
【００２２】
ステップＳ２０８では、制御部３０は、赤外線受光部１８が傍受した特定の入力ポートを選択するための制御信号について、その制御信号に対応する連動処理を学習しているかをデータベース１００を参照して判定する。尚、学習済か否かのステータスを参照する代わりに、傍受したテレビジョンモニタ２の特定の入力ポートに関連付けてインタフェース１９の特定の入力ポートが登録されているか否かによって学習済か否かを判定してもよい。学習済の状況は、インタフェース１９の学習済の入力ポートにオーディオ信号線が接続されている再生装置のビデオ信号線が接続されているテレビジョンモニタ２の入力ポートがユーザによって選択された状況である。
【００２３】
学習済の場合、制御部３０はパワーアンプ２６を起動する（ステップＳ２１０）。具体的には制御部３０はパワーアンプ２６の電源回路を制御してパワーアンプ２６に電力を供給し、パワーアンプを起動する。
パワーアンプ２６が起動すると、制御部３０は、増幅部３４への入力を学習済の入力ポートに切り換える（ステップＳ２１２）。具体的には、制御部３０はデータベース１００を参照し、赤外線受光部１８が傍受した特定の入力ポートを選択するための制御信号に関連付けられたインタフェース１９の特定の入力ポートから増幅部３４にオーディオ信号が入力されるように音声入力切換部２２の信号経路を切り換える。
以上の処理の結果、例えば図１に示すように各機器が接続されている場合、第一入力ポート６６を選択する制御信号がリモコン３から送信されると、パワーアンプ２６が起動し、ＤＶＤプレーヤ４のオーディオ信号がＡＶアンプ１によって増幅され、スピーカシステム６によってＤＶＤプレーヤ４のオーディオ信号が再生される。
【００２４】
尚、再生装置を制御するためのＩＥＥＥ１３９４やＤＬＮＡ（Digital Living Network Alliance）等の通信規格にＡＶアンプ１及び再生装置が対応している場合、制御部３０は、学習済の入力ポートにオーディオ信号線が接続されている再生装置を起動してもよい。
【００２５】
（学習処理）
ステップＳ２０８で学習済でないと判定した場合、制御部３０はステップＳ２０７の学習処理に進む。
図７は、学習処理の流れを示すフローチャートである。
制御部３０は、インタフェース１９のいずれかの入力ポートにオーディオ信号の入力があるか、一定期間監視する（ステップＳ１０４）。具体的には制御部３０は、音声入力検出部２０を介してＡ入力ポート６０、Ｂ入力ポート６２、Ｃ入力ポート６４へのオーディオ信号の入力を監視し、一定期間いずれかのポートにオーディオ信号の入力が継続すると、そのポートへのオーディオ信号の入力が有ると判定し、ステップＳ１０８の処理に進む。またいずれのポートへの入力も検出されない場合、学習処理を終了する。
【００２６】
ステップＳ１０８では、制御部３０は、テレビジョンモニタ２の特定の入力ポートを選択するパターンの制御信号と、オーディオ信号を検出している入力ポートとを関連付ける。具体的には例えば、テレビジョンモニタ２の第一入力ポート６６を選択するパターンの制御信号を傍受したときにステップＳ１０４でＢ入力ポート６２へのオーディオ信号の入力を検出すると、制御部３０は、テレビジョンモニタ２の第一入力ポート６６を選択するパターンの制御信号に関連付けてＢ入力ポート６２をデータベース１００に登録する。
【００２７】
ステップＳ１１０では、制御部３０は、オーディオ信号の入力を検出した入力ポートを学習済みに設定する。具体的には例えば、テレビジョンモニタ２の第一入力ポート６６を選択する制御信号を傍受したときにステップＳ１０４でＢ入力ポート６２へのオーディオ信号の入力を検出すると、制御部３０は、Ｂ入力ポート６２のステータスを学習済みに変更する。
以上説明した学習処理が終了すると、制御部３０は傍受したテレビジョンモニタ２の特定の入力ポートを選択する制御信号に対し、学習処理によって新たに関連付けられたインタフェース１９の入力ポートが有るか判定する（ステップＳ２０９）。学習処理によって新たに関連付けられたインタフェース１９の入力ポートが有る場合、制御部３０は、上述したステップＳ２１０及びステップＳ２１２の処理を実行する。この結果、パワーアンプ２６が起動し、新たに学習した入力ポートに入力されているオーディオ信号がＡＶアンプ１によって増幅され、スピーカシステム６によってそのオーディオ信号が再生される。
【００２８】
以上説明した入力ポート選択連動処理では、ユーザがリモコン３を操作してテレビジョンモニタ２の入力ポートを選択し、ＤＶＤプレーヤ４又はＶＣＲ５にメディアを装着して再生開始の操作をすると、ユーザがＡＶアンプ１に対して特別な操作を全くしなくてもＤＶＤプレーヤ４又はＶＣＲ５の再生音がＡＶアンプ１で増幅されてスピーカシステム６によって再生される。
【００２９】
（４）音量調節処理
はじめに、赤外線受光部１８がリモコン３から制御信号を受信すると、制御部３０はその制御信号がテレビジョンモニタ２の音量調節を指示するための制御信号であるか判定する。具体的には、制御部３０はデータベース１００を参照し、傍受した制御信号が音量調節処理に関連付けられた制御信号であるか否かを判定し、傍受した制御信号が音量調節処理に関連付けられた制御信号であれば音量調節処理を起動する。
【００３０】
図８は音量調節処理の流れを示すフローチャートである。
ステップＳ３０２では、制御部３０は、赤外線受光部４０が音量調節を指示する制御信号を傍受すると、パワーアンプ２６が起動状態であるか判定する。上述したように、ＡＶアンプ１はインタフェース１９のいずれかの入力ポートにオーディオ信号が入力されるとパワーアンプ２６を自動的に起動する。このため、パワーアンプ２６が起動している状態は、インタフェース１９のいずれかの入力ポートにオーディオ信号線が接続されている再生装置がＡＶデータを再生している状態である。またパワーアンプ２６が起動していない状態は、ＡＶデータを再生している再生装置のオーディオ信号線がインタフェース１９のいずれの入力ポートにも接続されていない状態である。
【００３１】
パワーアンプ２６が起動状態でなければ、ＡＶアンプ１は傍受したパターンの制御信号をテレビジョンモニタ２に送信する（ステップＳ３０４）。具体的には、制御部３０は赤外線受光部１８が傍受したパターンの制御信号を赤外線発光部１６からテレビジョンモニタ２に送信させる。この結果、テレビジョンモニタ２が内蔵しているアンプのゲインが変わり、テレビジョンモニタ２の内蔵スピーカの再生ボリュームが増減する。すなわち、テレビジョンモニタ２の赤外線受光部４０はサブユニット３２によって覆われているため、ＡＶデータを再生している再生装置のオーディオ信号線がインタフェース１９のいずれの入力ポートにも接続されていない状態では、テレビジョンモニタ２によってのみ再生音のボリュームが調節される。
【００３２】
パワーアンプ２６が起動状態であれば、制御部３０は、パワーアンプ２６のゲインを変えて再生音量を調節する（ステップＳ３０６）。この結果、パワーアンプ２６で増幅されてスピーカシステム６で再生されている音のボリュームが増減する。すなわち、インタフェース１９のいずれかの入力ポートにオーディオ信号線が接続されている再生装置がＡＶデータを再生している状態ではＡＶアンプ１によってのみ再生音のボリュームが調節される。
【００３３】
（５）再生連動処理
再生連動処理が起動される状況は、ＡＶアンプ１に接続されている再生装置にメディアを装着して再生を開始した直後である。ＡＶアンプ１に接続されている再生装置によってＡＶデータの再生が開始されると、再生が開始された再生装置に接続されているインタフェース１９のいずれかの入力ポートにオーディオ信号が入力される。
制御部３０はインタフェース１９のＡ入力ポート６０、Ｂ入力ポート６２、Ｃ入力ポート６４のいずれかの入力ポートにオーディオ信号の入力があるか監視しており、いずれかの入力ポートからオーディオ信号の入力が検出されると制御部３０は再生連動処理を起動する。
【００３４】
図９は、再生連動処理の流れを示すフローチャートである。
ステップＳ４０２では、制御部３０は、オーディオ信号の入力を検出した入力ポートが学習済みであるか判定する。具体的には、制御部３０は、データベース１００を参照し、オーディオ信号の入力を検出した入力ポートの学習ステータスが学習済になっているかを判定する。
【００３５】
オーディオ信号の入力を検出した入力ポートの学習ステータスが学習済みでなければ、制御部３０は再生連動処理を終了する。
オーディオ信号の入力を検出した入力ポートの学習ステータスが学習済みであれば、制御部３０は、テレビジョンモニタ２を起動する（ステップＳ４０４）。具体的には、テレビジョンモニタ２を起動するための制御信号を赤外線発光部１６から赤外線受光部４０に送信する。テレビジョンモニタ２が起動状態であれば制御部３０はステップＳ４０４の処理をとばしてもよい。ＡＶアンプ１は、ユーザのリモコン３の操作ログを記憶する機能や、テレビジョンモニタ２との通信機能を備えることにより、テレビジョンモニタ２の状態を把握することができる。
ＡＶアンプ１のいずれかの入力ポートへオーディオ信号が入力されると、ＡＶアンプ１がテレビジョンモニタ２を起動することにより、ユーザはテレビジョンモニタ２を起動するための操作をしなくても、ＤＶＤプレーヤ又はＶＣＲでメディアを再生するための通常の操作だけでテレビジョンモニタ２を起動することができる。
【００３６】
ステップＳ４０６では、制御部３０は、テレビジョンモニタ２の入力ポートを選択するための制御信号を送信する。具体的には制御部３０はデータベース１００を参照し、オーディオ信号の入力を検出した入力ポートと関連付けられている、テレビジョンモニタ２の入力ポートを選択するパターンの制御信号を、赤外線発光部１６から送信させる。オーディオ信号の入力を検出した入力ポートと関連付けられているテレビジョンモニタ２の入力ポートが既に選択されている状態であれば、制御部３０はステップＳ４０６の処理をとばしてもよい。
【００３７】
ステップＳ４０８では、制御部３０はパワーアンプ２６を起動する。具体的には制御部３０はパワーアンプ２６の電源回路を制御してパワーアンプ２６に電力を供給し、パワーアンプ２６を起動する。パワーアンプ２６が既に起動されている状態であれば、制御部３０はステップＳ４０８の処理をとばしてもよい。
ＡＶアンプ１のいずれかの入力ポートへオーディオ信号が入力されたときにＡＶアンプ１がパワーアンプ２６を起動することにより、ユーザはパワーアンプ２６の起動操作をしなくても、ＤＶＤプレーヤ４又はＶＣＲ５でメディアを再生するための通常の操作だけでパワーアンプ２６を起動することができる。
【００３８】
ステップＳ４１０では、制御部３０は、増幅部３４への入力を、オーディオ信号の入力を検出した入力ポートに切り換える。具体的には、制御部３０はオーディオ信号の入力を検出した入力ポートから増幅部３４にオーディオ信号が入力されるように音声入力切換部２２の信号経路を切り換える。既にオーディオ信号の入力を検出した入力ポートに信号経路が切り換えられている場合は、制御部３０はステップＳ４１０の処理をとばしてもよい。
いずれかのインタフェース１９へオーディオ信号が入力されたときに、入力されているオーディオ信号が増幅されるようにＡＶアンプ１が信号経路を切り換えることにより、ユーザはＤＶＤプレーヤ４かＶＣＲ５かに応じてＡＶアンプ１の信号経路を切り換えるための操作をしなくても、ＤＶＤプレーヤ４又はＶＣＲ５でメディアを再生するための通常の操作だけでＡＶアンプ１の信号経路を切り換えることができる。
【図面の簡単な説明】
【００３９】
【図１】本発明の実施例に係る模式図。
【図２】本発明の実施例に係るハードウェア構成図。
【図３】本発明の実施例に係る模式図。
【図４】本発明の実施例に係る模式図。
【図５】本発明の実施例に係るフローチャート。
【図６】本発明の実施例に係るフローチャート。
【図７】本発明の実施例に係るフローチャート。
【図８】本発明の実施例に係るフローチャート。
【図９】本発明の実施例に係るフローチャート。
【符号の説明】
【００４０】
１：ＡＶアンプ（音声信号増幅装置）、２：テレビジョンモニタ（表示装置）、３：リモコン、４：ＤＶＤプレーヤ（再生装置）、５：ＶＣＲ（再生装置）、６：スピーカシステム、１６：赤外線発光部（指示送信手段）、１８：赤外線受光部（指示入力手段）、１９：インタフェース、２０：音声入力検出部（検出手段）、２２：音声入力切換部（切換手段）、２６：パワーアンプ（増幅手段）、２８：本体ユニット、３０：制御部（学習手段、制御手段）、３２：サブユニット
【図１】
2007006057.tif 000003
【図２】
2007006057.tif 000004
【図３】
2007006057.tif 000005
【図４】
2007006057.tif 000006
【図５】
2007006057.tif 000007
【図６】
2007006057.tif 000008
【図７】
2007006057.tif 000009
【図８】
2007006057.tif 000010
【図９】
2007006057.tif 000011